(57)【要約】      （修正有）【課題】信号端子の接触部、溶接部の共平面性を保証し、製品の溶接と組立を便利にするとともに、信号伝送の安定性と信頼性を向上させるＬＶＤＳコネクタを提供する。【解決手段】このＬＶＤＳコネクタは絶縁本体１０、端子モジュール及び筐体３０を備えてなる。絶縁本体１０の内部に挿入空間１０１と収納空間が設けられる。端子モジュールは複数の信号端子２２とゲル体が実装されてなり、収納空間内に収められて、接触部２２１が挿入空間１０１内に挿入され、溶接部が絶縁本体１０の外に延ばされる。筐体３０は絶縁本体１０を被覆するように形成され、前端縁にアームが形成されて挿入空間１０１内に延び、平面には接点が設けられる。【選択図】図１
0003173526.tif 000002
【実用新案登録請求の範囲】
【請求項１】
絶縁本体、端子モジュール及び筐体を備えてなり、
前記絶縁本体は前端側に挿入空間、後端側に収納空間が設けられ、
前記端子モジュールは、接触部と溶接部を有する複数の信号端子とゲル体が実装されてなり、前記収納空間内に収められて、前記信号端子の接触部が前記挿入空間内に挿入され、前記溶接部が前記絶縁本体の外にはみ出すように延ばされ、
前記筐体は前記絶縁本体を被覆するように形成される、
ことを特徴とするＬＶＤＳコネクタ。
【請求項２】
絶縁本体の収納空間の周壁に切込部又はリブが設けられ、これに対応して端子モジュールのゲル体の外壁にリブ又は切込部が設けられることを特徴とする請求項１に記載のＬＶＤＳコネクタ。
【請求項３】
絶縁本体の収納空間の周壁に係止溝又は係止突部が設けられ、これに対応して前記端子モジュールのゲル体上に係止突部又は係止溝が設けられることを特徴とする請求項１又は２に記載のＬＶＤＳコネクタ。
【請求項４】
絶縁本体上に複数の端子溝が設けられ、前記複数の端子溝は、上部が挿入空間に連通し、後部が収納空間に連通し、複数の信号端子は前端部がそれぞれ対応する前記端子溝に通されて、接触部がそれぞれ挿入空間内に挿入されることを特徴とする請求項１に記載のＬＶＤＳコネクタ。
【請求項５】
筐体の前端縁に内側に折り返してなるアームが設けられ、前記アームは挿入空間内に延び、前記アームの平面に凸状に形成され、外部端子カバーと接触して、遮蔽効果を得る接点を有することを特徴とする請求項１に記載のＬＶＤＳコネクタ。
【請求項６】
筐体は、天板、底板、及び該天板と底板の間を連結する両側板を備えてなり、アームは前記天板の前端縁に内側に反り返してなることを特徴とする請求項５に記載のＬＶＤＳコネクタ。
【請求項７】
絶縁本体、複数の信号端子及び筐体を備えてなり、
前記絶縁本体は前端側に挿入空間が設けられ、
前記複数の信号端子はそれぞれ、前記絶縁本体上に設けられ、接触部と溶接部を備えてなり、前記接触部は挿入空間内に挿入され、前記溶接部は前記絶縁本体の外に延ばされ、
前記筐体は、絶縁本体を被覆するように形成されるとともに、前記筐体の前端縁に内側に折り返してなるアームが形成され、前記アームは挿入空間内に延び、前記アームの平面に凸状に形成され、外部端子ケースに接触して、遮蔽効果を得る接点を有する、
ことを特徴とするＬＶＤＳコネクタ。
【請求項８】
筐体は、天板、底板、及び該天板と底板の間を連結する両側板を備えてなり、アームは前記天板の前端縁に内側に反り返してなることを特徴とする請求項７に記載のＬＶＤＳコネクタ。
【請求項９】
アームは平板式のアームからなり、筐体の前端縁に併せて内側に反り返されてなる二つの位置決め片が形成されて、前記平板式のアームは、前記二つの位置決め片の間に設けられ、これに対応して挿入空間の内壁面に逃げ溝と二つの埋込溝が設けられ、前記逃げ溝は前記埋込溝より深く形成されて、前記二つの位置決め片は対応する前記埋込溝の中に埋め込まれ、前記アームは前記逃げ溝の中に掛けられて、前記接点が挿入空間に延びることを特徴とする請求項７に記載のＬＶＤＳコネクタ。
【請求項１０】
絶縁本体の両側に挿入空間に連通するガイド溝が設けられるとともに、前記ガイド溝の側壁にスロットが形成され、前記筐体に前記ガイド溝に配置される内壁が設けられ、前記内壁は前記スロットに嵌合可能な嵌合ブロックが形成されるとともに、前記嵌合ブロックの前端に突合せ接続コネクタロック爪のためのロック穴が形成されて、前記ガイド溝の側壁に張り付けられることを特徴とする請求項７に記載のＬＶＤＳコネクタ。
【考案の詳細な説明】
【技術分野】
【０００１】
本考案は、電気コネクタに関するもので、特に、液晶ディスプレイの信号伝送に用いるＬＶＤＳコネクタに関する。
【背景技術】
【０００２】
インターネットや通信技術の急速な発展に伴い、使用者の伝送速度に対する要求が益々強まっているなか、コンピュータや電子製品に用いられる電気コネクタには、高周波、高速度の信号の伝送に適用できるものが必要であるため、これを受けて、近年、低電圧差動信号（Ｌｏｗ  Ｖｏｌｔａｇｅ  Ｄｉｆｆｅｒｅｎｔｉａｌ  Ｓｉｇｎａｌ、略称ＬＶＤＳ）コネクタが発展している。このコネクタは、低電圧で高速にデータを伝送できること、そして低消費電力、コーディングエラーの低減というメリットがある。
【０００３】
従来のＬＶＤＳコネクタは、主に、絶縁本体、信号端子及び筐体を備えてなり、絶縁本体は挿入空間を有し、この絶縁本体と信号端子との組立構造が採用される。すなわち、信号端子は絶縁本体内に挿入され、信号端子上の突出部と絶縁本体の干渉結合によって固定され、信号端子の接触部が挿入空間内に挿入され、信号端子の溶接部が絶縁本体の外に延ばされる。筐体は絶縁本体を被覆するように設けられる。この筐体上には突出部が設けられ、この突出部と絶縁本体の干渉結合により、筐体と絶縁本体が固定、接続される。また、筐体の開口部には、接触弾片が内側に折り曲げられて形成され、この接触弾片と外部端子ケースが接触、接続して、遮蔽効果が得られるようになっている。
【考案の概要】
【考案が解決しようとする課題】
【０００４】
しかしながら、このような従来のＬＶＤＳコネクタの構造でも、信号を伝送する効果があり、確かに進歩性があるものであるが、実際に使用してみると、それ自体の構造と使用性能に、不十分な点が多く、従来のＬＶＤＳコネクタを実際に応用しても、最適な使用効果や作業効果は達成できない。その欠点は次のとおりである。
（１）信号端子の突出部と絶縁本体の干渉結合により、信号端子が絶縁本体上に固定されるため、信号端子の接触部の共平面性も、溶接部の共平面性も保証しかねることで、ＬＶＤＳコネクタの溶接や取り付けが不便となる同時に、信号の伝送にもマイナスな影響を及ぼす。
（２）筐体の開口部には、接触弾片が内側に折り曲げられて形成されるため、筐体の加工と成形が比較的難しく、製品の生産効率が低減し、また、接触弾片の弾性疲労が生じやすく、製品の使用性能にマイナスな影響を及ぼす。
（３）筐体の突出部と絶縁本体の干渉結合により、筐体が絶縁本体上に固定されるため、ＬＶＤＳコネクタの組立が比較的難しく、製品生産の組立効率に不利である。
（４）信号端子の接触部先端が空中に掛けられているので、接触部を平らにすることが保証しかね、また、接触部は上に反りやすく、正常な利用にマイナスな影響を及ぼす。
【０００５】
本考案は、このような従来の問題に鑑みなされたもので、この種のＬＶＤＳコネクタにおいて、信号端子における接触部の共平面性と溶接部の共平面性を保証しかねることを有効に解決すること、筐体の加工と成形の困難さを有効に解決すること、筐体の組み立てにくさを有効に解決すること、を目的とする。
【課題を解決するための手段】
【０００６】
上記の目的を達成するために、本考案は、次のような技術的特徴を備えるＬＶＤＳコネクタを提供する。
（１）絶縁本体、端子モジュールと筐体を備えてなり、該絶縁本体前端の開口部には挿入空間、絶縁本体の後端には収納空間が設けられ、該端子モジュールは、複数の信号端子とゲル体が実装されてなり、信号端子はそれぞれ接触部と溶接部を備えてなり、該端子モジュールは収納空間内に収められ、その上の信号端子の接触部は、挿入空間内に挿入され、該溶接部は、絶縁本体の外にはみ出すように伸ばされており、該筐体は絶縁本体を被覆するように設けられていることを特徴とするＬＶＤＳコネクタ。
（２）該絶縁本体の収納空間の周壁には、切込部またはリブが設けられ、該端子モジュールのゲル体の外壁には、それに対応するためのリブまたは切込部が設けられていることを特徴とする上記（１）に記載のＬＶＤＳコネクタ。
（３）該絶縁本体の収納空間の周壁には、係止溝または係止突部が設けられ、該端子モジュールのゲル体の上には、それに対応するための係止突部または係止溝が設けられていることを特徴とする上記（１）または（２）に記載のＬＶＤＳコネクタ。
（４）該絶縁本体の上には、複数の端子溝が設けられ、該複数の端子溝は、上部の該挿入空間に連結し、後部の収納空間に連結しているが、複数の該信号端子の前端部はそれぞれ対応の端子溝に、その上の接触部はそれぞれ挿入空間内に挿入されていることを特徴とする上記（１）に記載のＬＶＤＳコネクタ。
（５）該筐体の前端縁には、内側に折り返してなるアームが設けられ、該アームは該挿入空間内に伸びるように設けられ、アームの平面に凸包を作って、外部端子カバーと接触して、遮蔽効果を得られる接点が設けられていることを特徴とする上記（１）に記載のＬＶＤＳコネクタ。
（６）該筐体は、天板、底板、及び該天板と底板の間を連結する両側板を備えてなり、該アームは、該天板の前端縁は、内側に反り返してなるものであることを特徴とする上記（５）に記載のＬＶＤＳコネクタ。
（７）絶縁本体、筐体と複数の信号端子を備えてなり、該絶縁本体前端の開口部には挿入空間が設けられ、該複数の信号端子は絶縁本体の上に設けられ、信号端子はそれぞれ接触部と溶接部を備えてなり、該接触部は挿入空間内に、該溶接部は絶縁本体の外に伸びるように設けられており、該筐体は、絶縁本体を被覆するように設けられ、筐体の前端縁には、内側に折り返してアームが形成され、該アームは挿入空間内に伸びるように設けられ、アームの平面に凸包を作って、外部端子ケースに接触して、遮蔽効果を得られる接点が設けられていることを特徴とするＬＶＤＳコネクタ。
（８）該筐体は、天板、底板、及び該天板と底板の間を連結する両側板を備えてなり、該アームは、該天板の前端縁は内側に反り返してなるものであることを特徴とする上記（７）に記載のＬＶＤＳコネクタ。
（９）該アームは平板式アームで、該筐体の前端縁には更に、内側に反り返されて二つの位置決め片が形成されるが、該平板式アームは、該二位置決め片の間に設けられ、該挿入空間の内壁面には、逃げ溝と二つの埋込溝が設けられ、該逃げ溝は埋込溝より深く設けられ、該二位置決め片は、対応する埋込溝の中に埋め込まれ、該アームは、該逃げ溝の中に掛けられ、該接点は、挿入空間に伸びるように設けられていることを特徴とする上記（７）に記載のＬＶＤＳコネクタ。
（１０）該絶縁本体の両側には、挿入空間に接続するガイド溝が設けられ、該ガイド溝の側壁にはスロットが設けられ、該筐体にはガイド溝にはみ出される内壁が設けられ、該内壁はガイド溝の側壁に張り付くように設けられ、そして、該内壁は、該スロットに嵌め合うための嵌合ブロックがプラス成形され、該嵌合ブロックの前端には、突合せ接続コネクタロック爪のロック穴が設けられていることを特徴とする上記（７）に記載のＬＶＤＳコネクタ。
【考案の効果】
【０００７】
本考案のＬＶＤＳコネクタによれば、上記の構成により、次のような効果を奏する。
（１）信号端子とゲル体を実装して形成された端子モジュールを絶縁本体に固定することにより、従来のように突出部を使用して信号端子を絶縁本体に組み立てる方法に取って代わり、信号端子の接触部の共平面性も溶接部の共平面性も有効に保証され、製品の溶接と組立が便利になると同時に、信号伝送の安定性と信頼性も向上する。
（２）筐体の前端縁を内側に折り返して、アームが形成され、このアームを挿入空間に延ばし、アームの平面に凸包を作ることにより、接点が設けられるので、接点と外部端子ケースとを接触して、遮蔽効果が得られ、これにより、従来のように筐体の開口部を内側に折り曲げて、接触弾片を設ける方法に取って代わり、筐体の加工と成形がより簡単になり，  製品生産効率の向上にも有利で、しかもアームの弾性疲労が生じにくく、製品もより使いやすくなる。
（３）筐体に嵌合ブロックを、それに対応するために絶縁本体の上にスロットを設け、これら嵌合ブロックとスロットの嵌合により、筐体を絶縁本体に取り付け、固定するようにしたことにより、従来のように突出部と絶縁本体との干渉、結合により、筐体を絶縁本体の上に固定する方法に取って代わり、組立がより簡単になり、製品の生産、組立効率の向上に有利となる。
（４）絶縁本体上に端子溝を設け、複数の信号端子の前端部を対応する端子溝に嵌め込むことにより、信号端子の先端を上に反らせないようにしたことにより、信号端子の接触部の位置を同じ高さに保ち、製品の使用性能の安定性と信頼性に有利であることが保証される。
【図面の簡単な説明】
【０００８】
【図１】本考案の一実施の形態によるＬＶＤＳコネクタを示す斜視図
【図２】同ＬＶＤＳコネクタの分解斜視図
【図３】同ＬＶＤＳコネクタの別の角度から見た分解斜視図
【図４】同ＬＶＤＳコネクタの別の角度から見た組立後の斜視図
【図５】同ＬＶＤＳコネクタのまた別の角度から見た斜視図
【図６】同ＬＶＤＳコネクタの要部（図５の位置Ａ）の部分拡大斜視図
【図７】同ＬＶＤＳコネクタの要部の断面図
【考案を実施するための形態】
【０００９】
以下、本考案の一実施の形態について図１乃至図７を用いて説明する。ＬＶＤＳコネクタは、絶縁本体１０、複数の信号端子２２を有する端子モジュール２０及び筐体３０を備えて構成される。
【００１０】
絶縁本体１０は前端に開口部を有する。絶縁本体１０の内部には、前端側に外部端子を差し込むための挿入空間１０１、後端側に収納空間１０２がそれぞれ設けられる。また、絶縁本体１０の内部で前端側下部に、複数の端子溝１０３が設けられており、これら端子溝１０３は、上部が挿入空間１０１に連通し、後部が収納空間１０２に連通される。さらに、この絶縁本体１０の内部で両側に、挿入空間１０１に連続してガイド溝１０４が設けられ、ガイド溝１０４の側壁、すなわち絶縁本体１０の両側壁の内面にスロット１０５が設けられる。
【００１１】
端子モジュール２０は、ゲル体２１と複数の信号端子２２が実装されてなり、絶縁本体１０の収納空間１０２内に組入れられる。ゲル体２１は、収納空間１０２内に収められ、この場合、ゲル体２１の外壁には、絶縁本体１０の収納空間１０１の周壁にある切込部（不図示）に対応してリブ２１１が設けられ、このリブ２１１が切込部に嵌め込まれる。なお、絶縁本体１０の収納空間１０２の周壁にリブがある場合は、ゲル体２１の外壁にリブに対応するための切込部が設けられてもよい。また、このゲル体２１上には、絶縁本体１０の収納空間１０２の周壁にある係止溝（不図示）に対応するための係止突部２１２が設けられ、これら係止突部２１２と係止溝との係合により、端子モジュール２０のゲル体２１と絶縁本体１０が固定、接続される。なお、絶縁本体１０の収納空間１０２の周壁に係止突部がある場合は、ゲル体２１上に係止突部に対応するための係止溝が設けられてもよい。複数の信号端子２２はそれぞれ、接触部２２１と溶接部２２２とからなり、これらの信号端子２２は前端部がそれぞれ、対応する端子溝１０３に通されて、信号端子２２の接触部２２１がそれぞれ、挿入空間１０１内に挿入されることにより、信号端子２２の先端を上に反らせないようにし、各接触部２２１の位置を同じ高さに保つようにしている。信号端子２２の溶接部２２２は、後方へ絶縁本体１０の外にはみ出すように延ばされて、外部電子回路基板に溶接され、電気的接続が行われる。
【００１２】
筐体３０は、天板３１、底板３２、及び天板３１と底板３２の間を連結する両側板３３を備えてなり、絶縁本体１０を被覆するように形成される。筐体３０の前端縁には、内壁３４が形成され、筐体３０の内側に折り返される。この場合、筐体３０の両側板３３の前端縁に内壁３４が形成され、内側に折り返される。この内壁３４は、絶縁本体１０のガイド溝１０４の中に配置され、絶縁本体１０の側壁内面に張り付けられるように設けられる。また、この内壁３４には、スロット１０５に嵌合可能な嵌合ブロック３４１がプレス成形され、嵌合ブロック３４１とスロット１０５との嵌合によって、筐体３０と絶縁本体１０が連結、固定されるようになっている。また、この嵌合ブロック３４１の前端に、突合せ接続コネクタのロック爪のためのロック穴３４２が設けられ、このロック穴３４２によって、突合せ接続コネクタと接続、固定されるようになっている。筐体３０の前端縁にはまた、内側に折り返してなるアーム３５が設けられる。アーム３５は平板式のアームで、アーム３５が挿入空間１０１内に延びるように形成され、このアーム３５の平面に凸状に作られ、外部端子カバーに接触して、隠蔽効果を得る接点３５１が設けられる。この場合、天板３１の前端縁に、アーム３５が形成されて内側に折り返される。この筐体３０の前端縁にはさらに、内側に折り返されてなる二つの位置決め片３６が形成され、平板式のアームは、この二つの位置決め片３６の間に設けられる。これに対して、絶縁本体１０の挿入空間１０１の内壁面には、アーム３５と二つの位置決め片３６に対応して逃げ溝１０６と二つの埋込溝１０７が設けられる。この場合、逃げ溝１０６は埋込溝１０７より深く設けられる。このようにして二つの位置決め片３６は、これに対応する埋込溝１０７の中に埋め込まれ、アーム３５は、形を変える空間を提供するための逃げ溝１０６の中に掛けられ、接点３５１が、挿入空間１０１に延びるようになっている。なお、筐体３０の後端には、外部に延びる位置決め脚３７が設けられ、これに対応して絶縁本体１０の上には、位置決め孔１０８が設けられて、位置決め脚３７が位置決め孔１０８に嵌め合わされることにより、筐体３０が絶縁本体１０上に位置決めされるようになっている。
【００１３】
次に、このＬＶＤＳコネクタの組み立て方と使用方法について詳しく説明する。
このＬＶＤＳコネクタを組み立てるときは、図２及び図３に示すように、まず、信号端子２２とゲル体２１を実装してなる端子モジュール２０を絶縁本体１０の収納空間１０２に組み立てる。このとき、信号端子２２の前端部をそれぞれ、対応する端子溝１０３に通して、信号端子２２の接触部２２１をそれぞれ挿入空間１０１に挿入し、溶接部２２２は、後方へ絶縁本体１０の外にはみ出すように配置する。次に、筐体３０を、前から後へと、絶縁本体１０を被覆するように組み立てる。この場合、内壁３４を、対応するガイド溝１０４に配置し、図５及び図６に示すように、内壁３４にある嵌合ブロック３４１とガイド溝１０４にあるスロット１０５を嵌合することにより、筐体３０と絶縁本体１０を連結、固定する。そして、位置決め脚３７を対応する絶縁本体１０の位置決め孔１０８に挿入すると同時に、位置決め片３６を対応する埋込溝１０７に嵌め込み、アーム３５を逃げ溝１０６の中に掛けて、組み立てを完了する。
このＬＶＤＳコネクタを使用するときは、外部端子を挿入空間１０１に挿入する。これにより、外部端子の導電端子が、各信号端子２２の接触部２２１に接触して、電気的に接続され、同時に、外部端子のカバーと筐体３０のアーム３５にある接点３５１が接触して、遮蔽効果が得られる。
【００１４】
なお、ここで特筆すべき点は、この筐体３０の具体的な構造は、端子モジュール２０を持つＬＶＤＳコネクタに設けられることに限られず、その他従来の一般的なＬＶＤＳコネクタに設けられてもよい。
【００１５】
以上、この考案の重要な点は、第１に、信号端子とゲル体を実装して形成した端子モジュールを絶縁本体に固定することであり、これによって、従来のように信号端子を突出部を使用して絶縁本体に組み立てる方法に取って代わり、信号端子の接触部の共平面性も溶接部の共平面性も有効に保証され、製品の溶接と組立が便利になると同時に、信号伝送の安定性と信頼性も向上する。
第２に、筐体の前端縁を内側に折り返してなるアームを形成して、このアームを挿入空間に延ばし、アームの平面に凸状を作ることにより、接点を設けて、この接点と外部端子ケースとを接触させて、遮蔽効果を得たことであり、これによって、従来のように筐体の開口部を内側に折り曲げて、接触弾片を設ける方法に取って代わり、筐体の加工と成形がより簡単になり、製品生産効率の向上にも有利で、しかもアームの弾性疲労が生じにくく、製品もより使いやすくなる。
第３に、筐体に嵌合ブロックを設け、これに対応して絶縁本体にスロットを設け、嵌合ブロックとスロットを嵌合することにより、筐体を絶縁本体に取り付け、固定するようにしたことであり、これによって、従来のように突出部と絶縁本体との干渉、結合により、筐体を絶縁本体の上に固定する方法に取って代わり、組立がより簡単になり、製品の生産、組立効率の向上に有利になる。
第４に、絶縁本体上に端子溝を設け、複数の信号端子の前端部を対応する端子溝に嵌め込むことにより、信号端子の先端を上に反らせないようにして、信号端子の接触部の位置を同じ高さに保ち、製品の使用性能の安定性と信頼性に有利であることを保証する。
【００１６】
なお、上述したのは、本考案の好適な実施例に関する説明のみであり、それを以って、本考案の実用新案登録請求の範囲が制限されるものではなく、上述した本考案の実施例に基づいて、その改造や変更などを行って、それと同等な効果を得たとしても、それらの改造や変更などはすべて、本考案の実用新案登録請求の範囲に含まれるものである。
【符号の説明】
【００１７】
１０  絶縁本体
１０１  挿入空間
１０２  収納空間
１０３  端子溝
１０４  ガイド溝
１０５  スロット
１０６  逃げ溝
１０７  埋込溝
１０８  位置決め孔
２０  端子モジュール
２１  ゲル体
２１１  リブ
２１２  係止突部
２２  信号端子
２２１  接触部
２２２  溶接部
３０  筐体
３１  天板
３２  底板
３３  側板
３４  内壁
３４１  嵌合ブロック
３４２  ロック穴
３５  アーム
３５１  接点
３６  位置決め片
３７  位置決め脚
【図１】
0003173526.tif 000003
【図２】
0003173526.tif 000004
【図３】
0003173526.tif 000005
【図４】
0003173526.tif 000006
【図５】
0003173526.tif 000007
【図６】
0003173526.tif 000008
【図７】
0003173526.tif 000009